(57)【要約】【課題】多機能位置固定式タブレット電子装置に用いられるスリーブ体を提供すること。【解決手段】ケーシング１０、蓋体２０、枢接装置３０、およびレンズ体５０を備える。ケーシング１０は、タブレット電子装置を収容する。蓋体２０は、ケーシング１０と同様の形状を有し、ケーシング１０を閉塞するのに用いられる。枢接装置３０は、蓋体２０とケーシング１０との間を連結しており、任意角度で蓋体２０を固定可能である。レンズ体５０は、蓋体２０に枢接されており、蓋体２０との間で所定角度を有すよう任意に固定可能である。【選択図】図１
0003192553.tif 000002
【実用新案登録請求の範囲】
【請求項１】
多機能位置固定式のタブレット電子装置に用いられる収容装置であって、
タブレット電子装置を収容するケーシングと、
前記ケーシングと同様の形状を有し、前記ケーシングを閉塞するのに用いられる蓋体と、
前記蓋体と前記ケーシングとの間を連結しており、任意角度で前記蓋体を固定可能である枢接装置と、
前記蓋体に枢接されており、前記蓋体との間で所定角度を有するよう任意に固定可能であるレンズ体と、を備えることを特徴とする収容装置。
【請求項２】
前記タブレット電子装置は、携帯電話機またはタブレットＰＣであることを特徴とする収容装置。
【請求項３】
前記枢接装置は、
前記ケーシングの側縁に設けられている第一枢接部と、
前記第一枢接部と枢接しており、前記蓋体の側縁に設けられている第二枢接部と、を有することを特徴とする請求項１に記載の収容装置。
【請求項４】
前記枢接装置は、
前記ケーシングの側縁に設けられている第一枢接部と、
前記第一枢接部と枢接するよう前記蓋体に設けられている第二枢接部と、
前記第一枢接部と前記第二枢接部との間に設けられており、前記第一枢接部および前記第二枢接部に枢接されていることで前記蓋体と前記ケーシングとの間の開閉角度を調整可能にするする仲介部と、を有することを特徴とする請求項１記載の収容装置。
【請求項５】
前記枢接装置は長手方向または短手方向に設けられており、
前記レンズ体は前記蓋体の長手方向または短手方向の縁部に設けられていることを特徴とする請求項３または４に記載の収容装置。
【請求項６】
前記レンズ体は、反射レンズ、凹凸レンズ、または両面レンズであることを特徴とする請求項１に記載の収容装置。
【請求項７】
前記レンズ体に連結具が延設されており、
前記蓋体に第三枢接部が設けられており、
前記連結具は前記第三枢接部に連結されており、
前記レンズ体は前記蓋体に対して搖動可能であることを特徴とする請求項１に記載の収容装置。
【請求項８】
前記レンズ体の回転軸と前記蓋体の回転軸とは、平行または垂直であることを特徴とする請求項３または４に記載の収容装置。
【請求項９】
前記蓋体と前記ケーシングとの間の最大回転角度は１８０度より大きい角度であり、
前記レンズ体と前記蓋体との間の最大回転角度は１８０度より大きい角度であることを特徴とする請求項８に記載の収容装置。
【請求項１０】
前記枢接装置は、軸結合、ラップジョイント、スリーブ軸結合、摩擦軸結合、または、可塑性金属による軸結合を用いることを特徴とする請求項１に記載の収容装置。
【請求項１１】
前記蓋体は前記ケーシングの背面に緊密に取り付け可能であり、
前記ケーシングの形状が前記タブレット電子装置の形状に対応しており、
前記タブレット電子装置が前記ケーシングに固定可能であることを特徴とする請求項１に記載の収容装置。
【考案の詳細な説明】
【技術分野】
【０００１】
本考案は電子装置の収容装置に関し、特に多機能位置固定式タブレット電子装置に用いられる収容装置に関する。
【背景技術】
【０００２】
従来の電子装置を収容する収容装置はさまざまな種類がある。そのうちの一つは保護収容装置の形有し、ブックカーバーに類似する構造によって、電子装置を覆う。使用時に電子装置の表面に傷付くことを避ける機能を有し、構造もコンパクトで単純である。もう一種は袋体の形を有し、チャックを用いて袋体の開け閉めを行う。電子装置は袋体の内部に収容される。
【考案の概要】
【考案が解決しようとする課題】
【０００３】
前述の収容装置は、単純な収容または保護機能のみであり、特殊な機能を有しない。しかも前述収容装置及び連結方式は、一般として軟性構造が使用されているため、収容装置または袋体を立たせる機能を有しないほか、好みの角度位置に固定させることはできない。
【０００４】
本考案の目的は、多機能位置固定式タブレット電子装置を収容可能である斬新な収容装置を提供することにある。
【課題を解決するための手段】
【０００５】
本考案による収容装置は、多機能位置固定式のタブレット電子装置に用いられる収容装置であり、ケーシング、蓋体、枢接装置、およびレンズ体を備える。ケーシングは、タブレット電子装置を収容する。蓋体は、ケーシングと同様の形状を有し、ケーシングを閉塞するのに用いられる。枢接装置は、蓋体とケーシングとの間を連結しており、任意角度で蓋体を固定可能である。レンズ体は、蓋体に枢接されており、蓋体との間で所定角度を有すよう任意に固定可能である。
【０００６】
そのため、考案者は任意な角度で固定可能な枢接装着を電子装置の収容装置に用いる。また、レンズ体と収容装置を一体に結合させて、電子装置の収容装置を自由に開放し、好ましい角度で固定し、レンズ体にさまざまな角度の映像を反射し、多元化の使用機能を達成する。特に使用者は収容装置またはレンズ体に手で把持する必要なく、枢接装置で任意角度に位置させることができる。
【図面の簡単な説明】
【０００７】
【図１】本考案の一実施形態による収容装置を示す分解斜視図である。
【図２】本考案の一実施形態による収容装置を示す平面図である。
【図３】本考案の一実施形態による収容装置を示す斜視図である。
【図４】本考案の一実施形態による収容装置を示す斜視図である。
【図５】本考案の一実施形態による収容装置を示す側面図である。
【図６】本考案の一実施形態による収容装置を示す側面図である。
【図７】本考案の一実施形態による収容装置の変形例を示す斜視図である。
【図８】本考案の一実施形態による収容装置の変形例を示す斜視図である。
【図９】本考案の一実施形態による収容装置の変形例を示す斜視図である。
【図１０】本考案の一実施形態による収容装置の変形例を示す側面図である。
【図１１】本考案の一実施形態による収容装置の枢接装置の変形例を示す斜視図である。
【図１２】本考案の一実施形態による収容装置の枢接装置の変形例を示す斜視図である。
【図１３】本考案の他の実施形態による収容装置を示す模式図である。
【図１４】本考案の一実施形態による収容装置の蓋体がケーシングの背面に取り付けられている構成を示す図である。
【考案を実施するための形態】
【０００８】
本考案による収容装置の構成、および作用効果を図面に基づいて詳細に説明する。
【０００９】
（一実施形態）
本考案の一実施形態による収容装置を、図１〜１４に示す。
【００１０】
本実施形態による収容装置は、タブレット電子装置（例えば、携帯電話機、タブレットＰＣなど）を収容するケーシング１０、蓋体２０、枢接装置３０、およびレンズ体５０を備える。ケーシング１０は略矩形の箱状体を形成することが好ましい。
ケーシング１０に蓋閉めする蓋体２０の形状は、ケーシング１０に近似することが好ましい。
【００１１】
枢接装置３０は、蓋体２０とケーシング１０とを連結しており、任意角度で固定可能であり、蓋体２０が好みの角度で開けられると、その角度に固定され他の角度ずれない
【００１２】
図１に示すように、枢接装置３０は、ケーシング１０側面に位置する第一枢接部３１および第二枢接部３２を有する
【００１３】
蓋体２０側面の第二枢接部３２をケーシング１０側面の第一枢接部３１に枢接し、蓋体２０が枢接装置３０に沿って回転し、ケーシング１０と一定の開閉角度を形成する。
【００１４】
図９に示すように、蓋体２０側面の第二枢接部３２とケーシング１０側面の第一枢接部３１との間に仲介部４０が形成されている。蓋体２０の側面の第二枢接部３２が仲介部４０の一方の縁部に枢接しており、ケーシング１０側面の第一枢接部３１が仲介部４０の他方の縁部に枢接されている。この方式は、タブレット電子装置を収容するために、収容装置の収納容積を大きくする。
【００１５】
図４に示すように、枢接装置３０は、例えば、収容装置の縦（長手）方向または、図７に示すように、収容装置の横（短手）方向に形成しても良い。
【００１６】
レンズ体５０を蓋体２０に枢接されており、蓋体２０に沿って枢転し必要な角度に固定可能である。そのうち、レンズ体５０は、反射レンズ、凹凸レンズ、両面レンズなど、いずれかのタイプのレンズであっても良い。レンズ体５０の一方の縁部に連結具５１が延設されており、連結具５１は蓋体２０の側面の第三枢接部３３との連結に用いられる。レンズ体５０が第三枢接部３３を軸心として、蓋体２０に対して回転可能である。
【００１７】
図４に示すように、レンズ体５０は、例えば、収容装置の縦（長手）方向、または、図７に示すような収容装置の横（短手）方向に形成されている。
【００１８】
引き続き、図７、図８に示すように、レンズ体５０が枢転する回転面と蓋体２０が枢転する回転面とが平行である。また、レンズ体５０が枢転する回転面と蓋体２０が枢転する回転面とが垂直であっても良い。
【００１９】
図において、それぞれのケーシング１０、蓋体２０、およびレンズ体５０は、ほとんど矩形であるが、矩形に限られない。例えば、図１３に示す部材は円形またはその他任意の形状に形成されている。
【００２０】
図５に示すように、本考案の蓋体２０がケーシング１０に対する最大の回転角度は１８０度を超えても良い。図６に示すように、例えば、レンズ体５０を蓋体２０に対する最大の回転角度は１８０度を超えても良い。
【００２１】
図１４に示すように、前述の蓋体２０はバックカーバー方式によって、ケーシング１０と結合しても良い。そのうち、蓋体２０をケーシング１０の背面に設け、かつ互いに密着して重ね合わせている。ケーシング１０の外形は、タブレット電子装置の外形に合わせて、タブレット電子装置をケーシング１０の内部に係合し固定して置き、使用するときは、蓋体２０をめくり上げ、蓋体２０に取り付けていたレンズ体５０をめくりあげることができる。
【００２２】
多数方式によって前述の枢接装置３０が形成され角度固定機能を有する。本考案の実施形態において、枢接装置３０は主に、枢軸装置による接合方式を例示しているが、本考案は、この方式に限ることない。
【００２３】
図１１に示すように、ラップジョイントの枢軸機構は一般として複数の円形軸部材を突き出して、弾性係合の方式によって固定される。そのうち、一部の円形軸部材の一側に突起部材を有しており、他の円形軸部材に凹部が設けられている。突起部材が凹部に係合することによって、枢接効果を達成する。突起部材は凹部にて自在に回転できる。
【００２４】
図１２に示すように、もう一つの摩擦軸結合方式による枢軸装置は、回転軸と、複数の軸リングと、摩擦部材（摩擦ワッシャー）とが組み合わせてなる。そのうち、回転軸を軸リングに貫き、ねじ締結方式によって、複数の軸リングを一体に結合し、軸リングが回転軸に追随して回動する。好ましくは、摩擦ワッシャーを軸リングとの間に設け、回転軸の締め付け力量を利用し摩擦抵抗力を制御することによって、回転するときの負荷を調節することによって、角度を固定する。
【００２５】
本考案の長所は、レンズ体５０と、蓋体２０、ケーシング１０と、枢接装置３０とを互いに組み合わせて収容装置を形成することによって、収容装置にタブレット電子装置とレンズ体５０を収容することができる。枢接装置３０は、角度固定の機能を有しており、さまざまな開放角度を有する。さらに、開放時にある角度からずれないよう固定可能である。このほか、本考案は蓋体２０に枢接するレンズ体５０を有しており、蓋体２０に沿って回転し、必要な角度に固定される。使用者がレンズ体５０をめくり上げて、レンズ体５０でさまざまな映像を写し、それぞれの使用目的を達成することができる。
【００２６】
以上の詳細説明は、本案の好ましい実施例について説明したものに過ぎない。ただし、該実施例は本案になんらの制限を加わるものではない。本案の技術精神に基づく等効果の応用又は変更は、すべて本案の実用新案登録請求の範囲に含まれるべきである。
【符号の説明】
【００２７】
１０  ケーシング、
２０  蓋体、
３０  枢接装置、
５０  レンズ。
【図１】
0003192553.tif 000003
【図２】
0003192553.tif 000004
【図３】
0003192553.tif 000005
【図４】
0003192553.tif 000006
【図５】
0003192553.tif 000007
【図６】
0003192553.tif 000008
【図７】
0003192553.tif 000009
【図８】
0003192553.tif 000010
【図９】
0003192553.tif 000011
【図１０】
0003192553.tif 000012
【図１１】
0003192553.tif 000013
【図１２】
0003192553.tif 000014
【図１３】
0003192553.tif 000015
【図１４】
0003192553.tif 000016